(57)【特許請求の範囲】
【請求項１】
ネットワークの管理を行う網管理装置と当該網管理装置が前記ネットワークを介して接続し管理の対象とする管理対象装置との間で、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いるネットワークの管理方法において、装置間で搬送されるＳＮＭＰパケットの圧縮可能なデータ部分を所定の圧縮アルゴリズムにより圧縮して送出する一方、圧縮されたＳＮＭＰパケットを受けた際には受けたＳＮＭＰパケットを前記圧縮アルゴリズムにより解凍して所定の処理を実行し、圧縮以外のＳＮＭＰパケットを受けた際には受けた当該ＳＮＭＰパケットを破棄することを特徴とするネットワークの管理方法。
【請求項２】
請求項１において、前記網管理装置は、前記圧縮アルゴリズムに対応する管理対象装置それぞれをテーブルに記憶し、当該管理対象装置宛てのＳＮＭＰパケットのみを圧縮し搬送パケットに形成して送出することを特徴とするネットワークの管理方法。
【請求項３】
請求項１において、前記ＳＮＭＰパケットは、形成するパケット種別を示すタグの所定のビット位置に、前記圧縮アルゴリズムにより圧縮した際には圧縮表示ビットとしてビット「１」を設定し、それ以外ではビット「０」を設定することを特徴とするネットワークの管理方法。
【請求項４】
ネットワークの管理を行う網管理装置と当該網管理装置が前記ネットワークを介して接続し管理の対象とする管理対象装置との間で、ＳＮＭＰを用いるネットワークの管理システムにおいて、装置間を搬送するパケットにデータ圧縮の有無を示す圧縮表示ビットを立てるビット位置を設け、前記網管理装置は、前記管理対象装置それぞれに対し前記圧縮アルゴリズム対応の有無を記憶するテーブルと、ＳＮＭＰパケットを送出する際には送出先の管理対象装置の前記圧縮アルゴリズム対応を前記テーブルで調べ、前記圧縮アルゴリズムに対応する管理対象装置宛ての際には形成するＳＮＭＰパケットの所定位置に圧縮表示ビットを設定して圧縮処理する一方、管理対象装置から受けたＳＮＭＰパケットの所定位置に圧縮表示ビットが設定されている場合には受けたＳＮＭＰパケットを解凍してパケット処理に供する圧縮／解凍処理部と、送出するＳＮＭＰパケットに所定のヘッダを付加して搬送パケットを生成し宛先に送出する一方、受けた搬送パケットからＳＮＭＰパケットを取出し、更に当該ＳＮＭＰパケットの所定位置から前記圧縮表示ビットを読み出した際には、受けたＳＮＭＰパケットを前記圧縮／解凍処理部へ送出する一方、当該ＳＮＭＰパケットの所定位置から前記圧縮表示ビット以外を読み出した際には、受けたＳＮＭＰパケットを破棄する通信処理部とを備えることを特徴とするネットワークの管理システム。
【請求項５】
請求項４において、前記管理対象装置は、ネットワークを介して前記網管理装置と接続し、内部で生成したＳＮＭＰパケットに所定のヘッダを付加して所定の搬送パケットに形成し前記ネットワークを介して宛先へ送出する一方、前記ネットワークから受けた搬送パケットからＳＮＭＰパケットを取出して内部へ送出する通信処理部と、前記網管理装置宛てのＳＮＭＰパケットの所定位置に圧縮表示ビットを設定して圧縮処理する一方、管理対象装置から受けたＳＮＭＰパケットの所定位置に圧縮表示ビットが設定されている場合には受けたＳＮＭＰパケットを解凍してパケット処理に供する圧縮／解凍処理部とを備えることを特徴とするネットワークの管理システム。
【発明の詳細な説明】
【０００１】
【発明の属する技術分野】
本発明は、ネットワークの管理を行う網管理装置とこの網管理装置がネットワークを介して接続し管理の対象とする管理対象装置との間で、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いるネットワークの管理方法およびそのシステムに関し、特に、装置間に流れるＳＮＭＰパケットによるネットワークへの負荷を軽減することができるネットワークの管理方法およびそのシステムに関する。
【０００２】
【従来の技術】
インターネットを構成するルータなどの装置の状態を管理する作業を、インターネットを介して実行するシステムで利用されるプロトコルに、上述したＳＮＭＰがある。
【０００３】
図８に示されるＳＮＭＰは、ネットワーク管理ステーション（ＮＭＳ：Ｎｅｔｗｏｒｋ  Ｍａｎａｇｅｍｅｎｔ  Ｓｔａｔｉｏｎ）１の網管理装置であるＳＮＭＰマネージャ１０１と、管理対象装置２のプロトコル処理部であるＳＮＭＰエージェント１０２との間の通信に用いられる。管理対象装置２は、更に、管理状態を変数で予め設定する管理状態設定部であるＭＩＢ（Ｍａｎａｇｅｍｅｎｔ  Ｉｎｆｏｒｍａｔｉｏｎ  Ｂａｓｅ）１０３を有しており、管理対象装置２の状態管理がＭＩＢの変数読み出しで行われる。なお、装置の障害は、ＳＮＭＰエージェント１０２からＮＭＳ１に対してＳＮＭＰトラップと呼ばれる機構により報告される。
【０００４】
従来、この種のネットワークの管理システムでは、例えば、図９に示されるように、ネットワークであるインターネット１００を介してＳＮＭＰエージェント（管理対象装置）１２０と接続されるＳＮＭＰマネージャ（網管理装置）１１０がパケット処理部１１１および通信処理部１１２を備えている。また、ＳＮＭＰエージェント１２０が通信処理部１２１およびパケット処理部１２２を備えている。
【０００５】
また、例えば、図１０にＳＮＭＰマネージャ１１０から送出される「Ｇｅｔ−ｒｅｑｕｅｓｔ」パケットなどに対応する搬送パケットの一例を示す。上記通信処理部１１２，１２１間でインターネット１００上を伝送され送受される搬送パケットは、図示されるように、予め定められたヘッダ部と予め定められたＳＮＭＰパケットとで構成されている。ＳＮＭＰパケットには、ＳＮＭＰパケットの種別として８ビット「１０１ｘｘｘｘｘ」によるパケットタグが含まれる。
【０００６】
例えば、「Ｇｅｔ−ｒｅｑｕｅｓｔ」パケットには、パケットタグ「１０１０００００」が割当てられている。また上記トラップ機構における「Ｔｒａｐ」パケットにはパケットタグ「１０１００１００」が割当てられている。
【０００７】
他方、インターネットプロトコル（ＩＰ）には、パケット搬送におけるトランスポート層のプロトコルとして二つのプロトコルがある。すなわち、ＵＤＰ（Ｕｓｅｒ  Ｄａｔａｇｒａｍ  Ｐｒｏｔｏｃｏｌ）とＴＣＰ（Ｔｒａｎｓｍｉｓｓｉｏｎ  Ｃｏｎｔｒｏｌ  Ｐｒｏｔｏｃｏｌ）とである。ＴＣＰがコネクション型の再送機能およびフロー制御機能を有しているのと比較して、ＵＤＰはＩＰの機能をほぼそのまま上位層に提供するためのコネクションレス型のプロトコルになっている。
【０００８】
管理作業のためのＳＮＭＰプロトコルは元来、ネットワーク負荷の低減を考慮し、コネクションレス型のＵＤＰ／ＩＰ上で動作する。
【０００９】
【発明が解決しようとする課題】
上述した従来のネットワークの管理システムでは、多数のトラップが発生した場合、または網管理装置から多量の「Ｇｅｔ−ｒｅｑｕｅｓｔ」または「Ｓｅｔ−ｒｅｑｕｅｓｔ」などを発行する場合、ネットワークでへの負荷が高くなり、ネットワークを圧迫してしまう可能性を秘めているという問題点がある。
【００１０】
その理由は、管理作業のためのＳＮＭＰプロトコルは元来、ネットワーク負荷の低減を考慮し、コネクションレス型のＵＤＰ／ＩＰ上で動作する。しかし、ＢＥＲ（Ｂａｓｉｃ  Ｅｎｃｏｄｉｎｇ  Ｒｕｌｅｓ）符号化方式により管理データを通信する際、各管理項目に対しオブジェクト識別子（ＩＤ）を付加するが、このオブジェクトＩＤ部が１０数バイトに及び、情報転送の効率性は悪い。従って、ネットワーク上の管理対象装置と網管理装置との間で、管理対象装置から多数のトラップが発生した場合、ネットワークへの負荷が高くなるからである。
【００１１】
本発明の課題は、このような問題点を解決し、装置間でネットワークを流れるＳＮＭＰパケットによるネットワークへの負荷を軽減することができるネットワークの管理方法およびそのシステムを提供することである。
【００１２】
【課題を解決するための手段】
本発明によるネットワークの管理方法は、ネットワークの管理を行う網管理装置と当該網管理装置が前記ネットワークを介して接続し管理の対象とする管理対象装置との間で、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いる際に、装置間で搬送されるＳＮＭＰパケットの圧縮可能なデータ部分を所定の圧縮アルゴリズムにより圧縮して送出する一方、圧縮されたＳＮＭＰパケットを受けた際には受けたＳＮＭＰパケットを前記圧縮アルゴリズムにより解凍して所定の処理を実行し、圧縮以外のＳＮＭＰパケットを受けた際には受けた当該ＳＮＭＰパケットを破棄することを特徴としている。
【００１３】
前記網管理装置は、前記圧縮アルゴリズムに対応する管理対象装置それぞれをテーブルに記憶し、当該管理対象装置宛てのＳＮＭＰパケットのみを圧縮し搬送パケットに形成して送出することが望ましい。また、前記ＳＮＭＰパケットは、形成するパケット種別を示すタグの所定のビット位置に、前記圧縮アルゴリズムにより圧縮した際にはビット「１」を設定し、それ以外ではビット「０」を設定することとしている。
【００１４】
また、本発明によるネットワークの管理システムは、ネットワークの管理を行う網管理装置と当該網管理装置が前記ネットワークを介して接続し管理の対象とする管理対象装置との間で、ＳＮＭＰを用いるものであって、装置間を搬送するパケットにデータ圧縮の有無を示す圧縮表示ビットを設定するビット位置を設けている。前記網管理装置は、管理対象テーブルと、圧縮／解凍処理部と、通信処理部とを備えることを特徴としている。
【００１５】
網管理装置において、管理対象テーブルは前記管理対象装置それぞれに対し前記圧縮アルゴリズム対応の有無を記憶する。圧縮／解凍処理部は、ＳＮＭＰパケットを送出する際には送出先の管理対象装置の前記圧縮アルゴリズム対応を前記テーブルで調べ、前記圧縮アルゴリズムに対応する管理対象装置宛ての際には形成するＳＮＭＰパケットの所定位置に圧縮表示ビットを設定して圧縮処理する一方、管理対象装置から受けたＳＮＭＰパケットの所定位置に圧縮表示ビットが設定されている場合には受けたＳＮＭＰパケットを解凍してパケット処理に供する。通信処理部は、送出するＳＮＭＰパケットに所定のヘッダを付加して搬送パケットを生成し宛先に送出する一方、受けた搬送パケットからＳＮＭＰパケットを取出し、更に当該ＳＮＭＰパケットの所定位置から前記圧縮表示ビットを読み出した際には、受けたＳＮＭＰパケットを前記圧縮／解凍処理部へ送出する一方、当該ＳＮＭＰパケットの所定位置から前記圧縮表示ビット以外を読み出した際には、受けたＳＮＭＰパケットを破棄している。
【００１６】
前記管理対象装置は、通信処理部と、圧縮／解凍処理部とを備えている。
【００１７】
管理対象装置において、通信処理部は、ネットワークを介して前記網管理装置と接続し、内部で生成したＳＮＭＰパケットに所定のヘッダを付加して所定の搬送パケットに形成し、この形成された搬送パケットを、前記ネットワークを介して宛先へ送出する一方、前記ネットワークから受けた搬送パケットからＳＮＭＰパケットを取出して内部へ送出する。圧縮／解凍処理部は、前記網管理装置宛てのＳＮＭＰパケットの所定位置に圧縮表示ビットを設定して圧縮処理する一方、管理対象装置から受けたＳＮＭＰパケットの所定位置に圧縮表示ビットが設定されている場合には受けたＳＮＭＰパケットを解凍してパケット処理に供する。
【００１９】
上述した手段で使用される圧縮アルゴリズムは何れの方式でもよい。予め定められた圧縮アルゴリズムを用いることにより、ＳＮＭＰパケットのうち圧縮可能なデータを圧縮して形成された搬送パケットがネットワークを通過するので、ネットワークの負荷を軽減することができる。
【００２０】
【発明の実施の形態】
次に、本発明の実施の形態について図面を参照して説明する。
【００２１】
図１は本発明の実施の一形態を示す機能ブロック図である。図１に示されたネットワークの管理システムでは、ネットワークであるインターネット１００、並びに、インターネット１００を介してそれぞれが接続する、網管理装置であるＳＮＭＰマネージャ１０および管理対象装置である複数のＳＮＭＰエージェント２０，１２０により構成されている。図１において、従来と同一の構成要素には同一の番号符号を付与し、その説明は省略する。
【００２２】
ＳＮＭＰマネージャ１０は、管理対象テーブル１１、パケット処理部１２、圧縮／解凍処理部１３、および通信処理部１４を備えているものとする。ＳＮＭＰエージェント２０は、通信処理部２１、圧縮／解凍処理部２２、およびパケット処理部２３を備えているものとする。ＳＮＭＰエージェント１２０は図９に示された従来の管理対象装置であり、ＳＮＭＰマネージャ１０は両者を共に管理することとする。
【００２３】
管理対象テーブル１１は、記憶装置に有するＳＮＭＰエージェント２０，１２０それぞれに対応した圧縮フラグの領域であり、圧縮／解凍処理部２２として所定の短縮アルゴリズムを有するＳＮＭＰエージェント２０に対する領域、例えば対象装置番号符号「２０」の領域にはビット「１」を設定し、ＳＮＭＰエージェント１２０に対応する領域、例えば対象装置番号符号「１２０」の領域にはビット「０」を予め設定してあるものとする。
【００２４】
パケット処理部１２は、「Ｇｅｔ−ｒｅｑｕｅｓｔ」パケットなどを発行する際に、宛先のＳＮＭＰエージェント２０，１２０に対応する圧縮フラグを管理テーブル１１から読み出し、圧縮フラグ「１」のＳＮＭＰエージェント２０宛てのＳＮＭＰパケットを作成してこれを圧縮／解凍処理部１３へ送る。
【００２５】
ここで、図２を参照してＳＮＭＰパケットについて説明する。
【００２６】
図示されるＳＮＭＰパケットは、図１０を参照して既に説明した従来のものと同一の構成である。この中でＳＮＭＰパケットの種別を含むヘッダ部分はパケットを処理する上で受けたデータを直接解釈するので所定の形式を変えることはできないが、データ部については圧縮が可能である。従って、パケット種別部の８ビット「１０１ｘｘｘｘｘ」で表わされるパケットタグに、圧縮されていることを示す圧縮表示ビットを加えることとした。
【００２７】
すなわち図２に示されるように、従来の圧縮されていない場合にビット「０」が割当てられている第５ビットを用いることとする。従って従来の管理対象装置に対する圧縮されていないパケットにはパケットタグ「１０１０ｘｘｘｘ」を、また本発明の管理対象装置に対する圧縮されていないパケットにはパケットタグ「１０１１ｘｘｘｘ」を割当てるものとする。
【００２８】
従って、圧縮フラグ「１」のＳＮＭＰエージェント２０宛てのＳＮＭＰパケットはパケット種別部にパケット種別に基づくパケットタグ「１０１１ｘｘｘｘ」を設定する。すなわち、タグの第５ビット位置に圧縮表示ビット「１」を設定することとなる。一方、圧縮フラグ「０」でＳＮＭＰエージェント１２０へ宛てる場合はＳＮＭＰパケットのパケット種別部にパケット種別に基づくパケットタグ「１０１０ｘｘｘｘ」を設定してこれを通信処理部１４へ送る。従って、この場合には圧縮表示ビット「０」が設定される。
【００２９】
また、パケット処理部１２は、解凍処理部１３および通信処理部１４の何れから受けたＳＮＭＰパケットも同様に所定の処理を行って内部の管理手段へ提供する。
【００３０】
圧縮／解凍処理部１３は、パケット処理部１２から受けるＳＮＭＰパケットのうち予め定められた圧縮対象のデータを圧縮して通信処理部１４へ送出する。一方、圧縮／解凍処理部１３は、通信処理部１４から受けたパケットの所定のデータ部分を圧縮から解凍することによりデータ部を復元したＳＮＭＰパケットをパケット処理部１２へ送る。
【００３１】
通信処理部１４は、パケット処理部１２または圧縮／解凍処理部１３から受けるパケットに所定のヘッダ部を付加した搬送パケットを形成しインターネット１００を介して宛先のＳＮＭＰエージェント２０，１２０へ送出する。一方、通信処理部１４は、インターネット１００を介してＳＮＭＰエージェント２０，１２０の一つから搬送パケットを受けた際には、所定のヘッダ部を削除すると共にＳＮＭＰパケットのパケット種別部を読み取り、第５ビットからデータ圧縮の有無を判定して、圧縮のない場合にはパケット処理部１２へ、また圧縮のある場合には圧縮／解凍処理部１３へ送る。
【００３２】
ＳＮＭＰエージェント２０の通信処理部２１は、インターネット１００を介してＳＮＭＰマネージャ１０から受ける搬送パケットからヘッダ部を除き、ＳＮＭＰパケットのパケット種別の第５ビット位置で圧縮表示ビット「１」を確認して圧縮／解凍処理部２２へ送る。通信処理部２１は管理対象テーブル１１の記録により第５ビット「０」を受けることがないので、第５ビット「０」を読み取った際には受けたパケットを破棄してネットワークへの負荷の増加を回避する。
【００３３】
一方、通信処理部２１は、圧縮／解凍処理部２２から受けたＳＮＭＰパケットにヘッダ部を付加した搬送パケットに形成してインターネット１００を介してＳＮＭＰマネージャ１０へ送出する。
【００３４】
圧縮／解凍処理部２２は、通信処理部２１から受けるＳＮＭＰパケットのデータ部を解凍して復元し、パケット処理部２３へ送る一方、パケット処理部２３から受けるＳＮＭＰパケットのデータ部を圧縮し通信処理部２１へ送る。
【００３５】
パケット処理部２３は、圧縮／解凍処理部２２から受けるＳＮＭＰパケットを装置内部で管理状態の制御を行う制御手段（図示省略）へ送る一方、ＳＮＭＰマネージャ１０へ送るデータをＳＮＭＰパケットに形成し、このパケット種別で第５ビット位置に圧縮表示ビット「１」を設定して圧縮／解凍処理部２２へ送る。
【００３６】
図３では、ＳＮＭＰエージェント２０，１２０から送出される「Ｔｒａｐ」パケットの構成内容が示されている。図示されるように、ＳＮＭＰパケットは他のＳＮＭＰパケットと同様にパケット種別部を有し、上述したと同様に、パケットタグにおける圧縮表示ビットの有無によりデータ部の圧縮の有無を示している。
【００３７】
次に、図４に図１および図２を併せ参照して網管理装置であるＳＮＭＰマネージャ１０のパケット送信手順について説明する。
【００３８】
ＳＮＭＰマネージャ１０は、管理対象装置のＳＮＭＰエージェント２０に対して図２で示されたフォーマットにより、パケット種別で「Ｇｅｔ−ｒｅｑｕｅｓｔ」と「Ｇｅｔ−ｎｅｘｔ−ｒｅｑｕｅｓｔ」と「Ｓｅｔ−ｒｅｑｕｅｓｔ」とのＳＮＭＰパケットを送出する。
【００３９】
パケット処理部１２は、網管理のための送出データを受付け（手順Ｓ１）し、パケット種別に従ってＳＮＭＰパケットを形成（手順Ｓ２）する。この際、パケット処理部１２は、管理対象テーブル１１の圧縮フラグ領域を、送信先の管理対象装置２０により調査（手順Ｓ３）する。
【００４０】
対応する領域から圧縮フラグ「１」を検出（Ｓ４のＹＥＳ）した場合、パケット処理部１２は、パケット種別を表わすパケットタグの第５ビット位置に圧縮表示ビット「１」を設定（手順Ｓ４）して圧縮／解凍処理部１３へ送る。
【００４１】
圧縮／解凍処理部１３は受けたＳＮＭＰパケットのデータ部を所定の圧縮アルゴリズムにより圧縮処理（手順Ｓ５）して通信処理部１４へ送る。通信処理部１４は、受けたＳＮＭＰパケットに所定のヘッダ部を付加した搬送パケットを形成してインターネット１００を介し送信先の管理対象装置であるＳＮＭＰエージェント２０へ送出（手順Ｓ６）する。
【００４２】
一方、送信先が管理対象装置１２０の場合には上記手順Ｓ３の調査の結果、圧縮フラグ「０」を管理対象テーブル１１から検出して上記手順Ｓ４が「ＮＯ」となるので、パケット処理部１２は、パケット種別を表わすパケットタグの第５ビット位置に圧縮表示ビット「０」を設定（手順Ｓ７）して直接、通信処理部１４へ送る。通信処理部１４では上記手順Ｓ６を実行する。
【００４３】
次に、図５に図１，２，４を併せ参照して上記手順Ｓ６に続く管理対象装置であるＳＮＭＰエージェント２０の受信手順について説明する。ＳＮＭＰエージェント１２０のように本発明による装置ではない（手順１０のＮＯ）場合の手順は省略する。
【００４４】
手順Ｓ１０が「ＹＥＳ」の場合、ＳＮＭＰエージェント２０では、通信処理部２１がデータ圧縮された搬送パケットを受付け（手順Ｓ１１）し、受付けたパケットのヘッダを取り除いてＳＮＭＰパケットを取出し、パケット種別を表わすパケットタグの第５ビットを調査（手順Ｓ１２）する。
【００４５】
この結果、圧縮表示ビット「１」が設定されている（手順Ｓ１３のＹＥＳ）場合には、受けたＳＮＭＰパケットを圧縮／解凍処理部２２へ送る。圧縮／解凍処理部２２は受けたＳＮＭＰパケットを解凍処理（手順Ｓ１４）しデータ部を復元してパケット処理部２３へ送る。パケット処理部２３は、受けた解凍済みのＳＮＭＰパケットを従来同様、通常の処理（手順Ｓ１５）を行って内部の制御手段（図示省略）に渡す。
【００４６】
上記手順Ｓ１３が「ＮＯ」で圧縮表示ビット「０」が設定されている場合は、通信処理部２１は受けたパケットを破棄（手順Ｓ１６）して手順を終了する。
【００４７】
次に、図６に図１および図２を併せ参照して本発明による管理対象装置であるＳＮＭＰエージェント２０のパケット送信手順について説明する。
【００４８】
ＳＮＭＰエージェント２０は、網管理装置のＳＮＭＰマネージャ１０に対して図２で示されたフォーマットによるパケット種別で「Ｇｅｔ−ｒｅｓｐｏｎｓｅ」と、図３で示されたフォーマットによるパケット種別で「Ｔｒａｐ」との何れかのＳＮＭＰパケットを送出する。
【００４９】
パケット処理部２３が送出データを受けた際には上述したように、パケット種別に応じたフォーマットでＳＮＭＰパケットを形成（手順Ｓ２１）する。このパケット形成の際には、パケット種別におけるパケットタグの第５ビット位置に圧縮表示ビット「１」を設定（手順Ｓ２２）して圧縮／解凍処理部２２へ送る。圧縮／解凍処理部２２は、受けたＳＮＭＰパケットのデータ部を所定の圧縮アルゴリズムにより圧縮処理（手順Ｓ２３）し、通信処理部２１へ送る。通信処理部２１は受けたＳＮＭＰパケットにヘッダ部を付加した搬送パケットをインターネットを介して網管理装置のＳＮＭＰマネージャ１０へ送出（手順Ｓ２４）する。
【００５０】
次に、図７に図１および図２を併せ参照して網管理装置のＳＮＭＰマネージャ１０の受信手順について説明する。
【００５１】
通信処理部１４は、インターネット１００を介して搬送パケットを受付け（手順Ｓ３１）し、ヘッダ部を取り除いてＳＮＭＰパケットを取出す。次いで、通信処理部１４は、受けたＳＮＭＰパケットのパケット種別を表わすパケットタグの第５ビットを調査（手順Ｓ３２）する。
【００５２】
この調査で圧縮表示ビット「１」が検出（手順Ｓ３３のＹＥＳ）された場合、通信処理部１４は受けたＳＮＭＰパケットを圧縮／解凍処理部１３へ送る。圧縮／解凍処理部１３は、受けたＳＮＭＰパケットを解凍処理（手順Ｓ３４）しデータ部を復元してパケット処理部１２へ送る。パケット処理部１２は解凍済みのＳＮＭＰパケットを通常処理（手順Ｓ３５）する。
【００５３】
一方、発信元が従来のＳＮＭＰエージェント１２０のため、上記手順３３が「ＮＯ」で圧縮表示ビット「０」が検出された場合には、通信処理部１４は受けたＳＮＭＰパケットをパケット処理部１２へ直接送る。パケット処理部１２は受けたＳＮＭＰパケットを通常処理（手順Ｓ３６）する。上記手順Ｓ３５と手順Ｓ３６とは同一の動作である。
【００５４】
上記説明では、パケット処理部が送出するＳＮＭＰパケット、通信処理部が受け付けるＳＮＭＰパケットそれぞれで、圧縮表示ビットを検出するとしている。しかし、圧縮／解凍処理部が、圧縮表示ビットの検出、並びに圧縮処理／解凍処理および無処理それぞれを実行することにより、パケット処理部および通信処理部は従来のものをそのまま使用することができる。また、上述した手順はシリアル動作であるが、平行処理も可能な動作があり、更には、手順を前後してもよい動作もある。
【００５５】
このように、上記説明では、機能ブロックおよび動作手順を図示し参照しているが、機能の分離併合または手順の変更は上記機能を満たす限り自由であり、上記説明が本発明を限定するものではない。
【００５６】
【発明の効果】
以上説明したように本発明によれば、装置間で流れるＳＮＭＰパケットによるネットワークへの負荷を軽減するという効果を得ることができる。
【００５７】
その理由は、網管理装置のＳＮＭＰマネージャと管理対象装置のＳＮＭＰエージェントとの間で送受するＳＮＭＰパケットの短縮可能なデータを所定の圧縮アルゴリズムにより短縮しているからである。
【図面の簡単な説明】
【図１】本発明の実施の一形態を示す機能ブロック図である。
【図２】図１で用いられる搬送パケットの実施の一形態を示すフォーマット図である。
【図３】図１で用いられる図２とは異なる搬送パケット（トラップパケット）の実施の一形態を示すフォーマット図である。
【図４】本発明によるＳＮＭＰマネージャにおける送信手順の実施の一形態を示すフローチャートである。
【図５】本発明によるＳＮＭＰエージェントにおける受信手順の実施の一形態を示すフローチャートである。
【図６】本発明によるＳＮＭＰエージェントにおける送信手順の実施の一形態を示すフローチャートである。
【図７】本発明によるＳＮＭＰマネージャにおける受信手順の実施の一形態を示すフローチャートである。
【図８】ＳＮＭＰを実行する一形態を示すブロック図である。
【図９】従来の一例を示す機能ブロック図である。
【図１０】図９で用いられる搬送パケットの実施の一形態を示すフォーマット図である。
【符号の説明】
１０    ＳＮＭＰマネージャ（網管理装置）
１１    管理対象テーブル
１２、２３    パケット処理部
１３、２２    圧縮／解凍処理部
１４、２１    通信処理部
１００    インターネット
【図１】
0003565266.tif 000002
【図２】
0003565266.tif 000003
【図３】
0003565266.tif 000004
【図４】
0003565266.tif 000005
【図５】
0003565266.tif 000006
【図６】
0003565266.tif 000007
【図７】
0003565266.tif 000008
【図８】
0003565266.tif 000009
【図９】
0003565266.tif 000010
【図１０】
0003565266.tif 000011